(57)【要約】      （修正有）【課題】純正ラベルの使用を促すとともに、プリンタの正しい動作を保証することが可能となるプリンタ用ラベルを提供する。【解決手段】プリンタ用ラベル１０は、長尺の剥離紙１の一方の面１ａ（表面）上に、粘着剤２が塗布されたラベル片３を仮着し、剥離紙１の他方の面１ｂ（裏面）に、前記ラベル片３の位置検出マーク４と商標を示すマーク５を表示したもので、ラベル片３の表面には図示せぬプリンタによって文字や所定の情報をコード化したバーコードなどの可変情報が印字され、ラベル片３の裏面に塗布された粘着剤２によって図示せぬ被着体に貼着される。このように、プリンタ用ラベル１０は、ラベル片３が仮着されていない剥離紙１の裏面に、ラベル片３の位置検出マーク４と商標を示すマーク５を表示するようにしたので、他のメーカーから全く同一形状のプリンタ用ラベル１０が供給されることはなく、純正ラベルの使用を促すことができる。【選択図】図１
2005266101.tif 000002
【特許請求の範囲】
【請求項１】
剥離紙の一方の面上に、粘着剤が塗布されたラベル片を仮着したプリンタ用ラベルであって、前記ラベル片が仮着されていない剥離紙の他方の面に、前記ラベル片の位置検出マークと、商標を示すマークと、を表示したことを特徴とするプリンタ用ラベル。
【請求項２】
前記ラベル片が仮着されていない剥離紙の他方の面に、前記ラベル片の位置検出マークに重ねて異なる色で商標を示すマークを表示したことを特徴とする請求項１記載のプリンタ用ラベル。
【請求項３】
前記ラベル片が仮着されていない剥離紙の他方の面に、前記ラベル片の位置検出マークに重ねて異なる色で商標を示すマークが表示され、この前記ラベル片の位置検出マークに重ねて異なる色で表示される商標を示すマークと、次に位置する前記ラベル片の位置検出マークに重ねて異なる色で表示される商標を示すマークと、の表示が異なることを特徴とする請求項１記載のプリンタ用ラベル。
【発明の詳細な説明】
【技術分野】
【０００１】
本発明は、プリンタにて可変情報が印字されるプリンタ用ラベルに関し、特にラベル片が仮着されていない剥離紙の面に、ラベル片の位置検出マークが表示されたプリンタ用ラベルに関するものである。
【背景技術】
【０００２】
従来から、製造、物流、販売など様々な分野において、プリンタを用いてラベルに文字や所定の情報をコード化したバーコードなどの可変情報を印字し、人間を介さずデータを取り込んで内容を認識する自動認識システムが用いられている。このようなプリンタに用いられるラベルは、剥離紙の一方の面上に、粘着剤が塗布された複数のラベル片を仮着したプリンタ用ラベルとして用いられ、このプリンタ用ラベルはプリンタ内の供給リールから供給された後、印字ヘッドで印字され、巻取リールに巻き取られる。印字ヘッドの手前には、センサーが設けられ、このセンサーが剥離紙の他方の面に施されたラベル片の位置検出マークを検知することにより、印字ヘッドにてラベルの所望の位置に印字することができる。
【０００３】
前記プリンタにおいて、反射型のセンサーを使用する場合には、プリンタ用ラベルの剥離紙の他方の面でラベル片の後端に対応する位置に、センサーから投光される光を反射するマークが印刷されている。前記センサーは、剥離紙の他方の面に投光し、前記マークからの反射光を受光することにより、ラベルの先端位置を検出し、これによりラベルの所定位置に正確に印字することができる。
【０００４】
図５は、従来のプリンタ用ラベルをロール状に巻回した説明図である。プリンタ用ラベル５０は、剥離紙１の一方の面（表面）１ａに、粘着剤２が塗布されたラベル片３を仮着してなり、剥離紙１の他方の面（裏面）１ｂでラベル片３の搬送方向後端に対応する位置に、図示せぬプリンタの反射型センサーから投光される光を反射する位置検出マーク４が印刷されている。前述のとおり前記反射型センサーは、剥離紙１の他方の面１ｂに投光し、前記位置検出マーク４からの反射光を受光することにより、ラベル片３の先端位置を算出し、これによりラベル片３の所定位置に正確に印字することができるものである。
【０００５】
こうしたプリンタ用ラベル５０は、印字に用いられるプリンタやラベルの使用用途に適したラベルが純正ラベルとしてプリンタメーカーから供給される。ところが、前記純正ラベルと同等品と称した安価なラベルがプリンタメーカー以外から供給される場合がある。このような同等品と称した安価なラベルは、純正ラベルとは異なったラベル材料が用いられることが多く、この異なったラベル材料を原因とするラベル印字不良や印字ヘッドへの紙粉付着やプリンタ内での搬送不良などの不具合が発生する場合があり、このような不具合が発生することはプリンタ本体の故障の要因ともなる。また、特にラベル印字不良の中でもバーコード印字不良は、その後の読み取り不良となって多大な影響を及ぼす不具合となる。
【０００６】
そして、このような不具合が発生した場合は、その発生した不具合の原因が、純正ラベル以外のラベルによるものか、またはプリンタによるものかの判断が非常にしにくくなるという問題があった。
【０００７】
また、このような不具合が発生した場合に、純正ラベル以外のラベルを使用したことに起因する不具合ではなく、プリンタに起因する不具合であると誤って認識されることが多く、プリンタの正しい動作を保証することが困難になるという問題があった。
【０００８】
なお、純正品と模造品とを明確に区別できるプリンタ用の印字カセットとして、印字カセットケース側面に、製造者を符号化したバーコードを付して、このバーコードを読み取ることにより、正規の製造者か否かを判別できるプリンタ用印字カセットとして以下の公報がある。
【０００９】
【特許文献１】特開平９−３２７９６１号公報。
【発明の開示】
【発明が解決しようとする課題】
【００１０】
本発明は以上のような諸問題に鑑みなされたもので、純正ラベルの使用を促すとともに、ラベル印字不良や印字ヘッドへの紙粉付着やプリンタ内での搬送不良などの不具合を起こすことがなく、プリンタの正しい動作を保証することが可能となるプリンタ用ラベルを提供することを課題とする。
【課題を解決するための手段】
【００１１】
本発明は上記課題を解決すべく、以下に掲げる構成とした。
請求項１記載の発明の要旨は、剥離紙の一方の面上に、粘着剤が塗布されたラベル片を仮着したプリンタ用ラベルであって、前記ラベル片が仮着されていない剥離紙の他方の面に、前記ラベル片の位置検出マークと、商標を示すマークと、を表示したことを特徴とするプリンタ用ラベルに関する。
また請求項２記載の発明の要旨は、前記ラベル片が仮着されていない剥離紙の他方の面に、前記ラベル片の位置検出マークに重ねて異なる色で商標を示すマークを表示したことを特徴とする請求項１記載のプリンタ用ラベルに関する。
また請求項３記載の発明の要旨は、前記ラベル片が仮着されていない剥離紙の他方の面に、前記ラベル片の位置検出マークに重ねて異なる色で商標を示すマークが表示され、この前記ラベル片の位置検出マークに重ねて異なる色で表示される商標を示すマークと、次に位置する前記ラベル片の位置検出マークに重ねて異なる色で表示される商標を示すマークと、の表示が異なることを特徴とする請求項１記載のプリンタ用ラベルに関する。
【発明の効果】
【００１２】
本発明は、剥離紙の一方の面上に、粘着剤が塗布されたラベル片を仮着したプリンタ用ラベルであって、前記ラベル片が仮着されていない剥離紙の他方の面に、前記ラベル片の位置検出マークと、商標を示すマークと、を表示するようにしたので、純正ラベルの使用を促すとともに、ラベル印字不良や印字ヘッドへの紙粉付着やプリンタ内での搬送不良などの不具合を起こすことがなく、プリンタの正しい動作を保証することが可能となるプリンタ用ラベルを提供することができる。
【発明を実施するための最良の形態】
【００１３】
次に、本発明にかかるプリンタ用ラベルについて図１乃至図４を用いて説明する。まず、本発明にかかるプリンタ用ラベルの第１の実施の形態について図１乃至図２を用いて説明する。図１は、第１の実施のプリンタ用ラベルをロール状に巻回した説明図である。図２は、第１の実施の形態のプリンタ用ラベルを剥離紙側から見た平面図である。      
【００１４】
本発明にかかるプリンタ用ラベルの第１の実施の形態は、剥離紙の一方の面上に、粘着剤が塗布されたラベル片を仮着し、前記ラベル片が仮着されていない剥離紙の他方の面に、前記ラベル片の位置検出マークと、商標を示すマークと、を表示したものである。図１に示すプリンタ用ラベル１０は、長尺上の剥離紙１の一方の面１ａ（表面）上に、粘着剤２が塗布されたラベル片３を仮着し、前記ラベル片３が仮着されていない剥離紙１の他方の面１ｂ（裏面）に、前記ラベル片３の位置検出マーク４と、商標を示すマーク５と、を表示したもので、前記ラベル片３の一方の面３ａ（表面）には図示せぬプリンタによって文字や所定の情報をコード化したバーコードなどの可変情報が印字され、前記ラベル片３の他方の面３ｂ（裏面）に塗布された前記粘着剤２によって図示せぬ被着体に貼着される。
【００１５】
以下、各々の構成について説明する。剥離紙１の基材としては、一般的にグラシン紙やクラフト紙などが用いられるが、本発明のようにプリンタを用いて印字される場合は強度が高く平滑性に優れているグラシン紙が適している。また、剥離紙１の表面１ａには、主としてシリコーンを用いた剥離剤層を設けて剥離処理する。なお、剥離紙１の基材の色は、ある光量の光を当ててそれから反射する光の反射率が高い色、つまり白色度が高い色である白色、その他に淡い青色や淡い緑色などの色が用いられる。
【００１６】
粘着剤２は、エマルジョン系、ソルベント系、ホットメルト系の粘着剤を用いることができ、素材は、アクリル系、ゴム系など任意であり適宜な組合せの粘着剤を用いて形成される。また、粘着剤の強さは、一度貼着した後は剥離する必要のない用途に使用される強粘着や、さらに粘着力が強い超強粘着や、一度貼着した後に剥離や再貼着を繰り返して行うことができる再剥離粘着など、被着体となるものとその用途によって適した粘着剤の強さを選定することができる。
【００１７】
ラベル片３は、上質紙やコート紙やアート紙等の紙、ポリプロピレンやポリエステル（ポリエチレンテレフタレート）等のフィルム、ポリエチレンやポリプロピレン等に充填材を加えて紙のような繊維状に加工した合成紙、これらの単体や積層体や複合材を用いることができる。
【００１８】
位置検出マーク４は、先述のとおりプリンタの反射型センサーから投光される光を反射するため、たとえば、剥離紙１の裏面１ｂでラベル片３の搬送方向後端に対応する位置に印刷される。位置検出マーク４が印刷される位置は、ラベル片３の搬送方向後端に対応する位置に限らず、ラベル片３に対して所定の位置に一つ印刷されていればよい。また、位置検出マーク４の色は、ある光量の光を当ててそれから反射する反射率が低い色、つまり白色度が低い色である黒色のインキが用いられる。
【００１９】
このように、剥離紙１には白色度が高い色である白色が、位置検出マーク４には逆に白色度が低い色である黒色が用いられるが、これらの相対的な濃淡差を示す数値をＰＣＳ（Ｐｒｉｎｔ  Ｃｏｎｔｒａｓｔ  Ｓｉｇｎａｌ）値という。この数値が０に近いほど位置検出マーク４が薄いまたは剥離紙１の色が濃く、数値が１に近いほど位置検出マーク４が濃いまたは剥離紙１の色が薄いものである。したがって、プリンタの反射型センサーではこのＰＣＳ値が１に近いほど、剥離紙１と位置検出マーク４とを識別することができる。
【００２０】
商標を示すマーク５は、前記位置検出マーク４に対応して少なくとも１つ以上印刷されていれば良く、印刷される位置や印刷色については特に限定しない。また、商標を示すマーク５は、たとえば、図示した「ＡＢＣＤ」のように会社名やプリンタ名やラベル名など登録されている文字、図形、記号などの商標の中から対応する商標を選んで表示される。この商標を示すマーク５は、プリンタメーカーにのみ使用が許可される商標であるから、他のメーカーが許可無く使用することはできない。したがって、このような商標を示すマーク５が表示されたプリンタ用ラベル１０をプリンタメーカー以外が供給することはできない。
【００２１】
図２（ａ）は、プリンタ用ラベル１０を剥離紙１の裏面１ｂ側から見た平面図であり、二本の二点鎖線に挟まれた領域は、図示せぬプリンタの反射型センサー検知領域Ｓである。前記プリンタの反射型センサーでは、反射型センサー検知領域Ｓの黒色の位置検出マーク４の部分で光の反射光量が低く検出され、反射型センサー検知領域Ｓの白色の剥離紙１の部分で光の反射光量が高く検出される。したがって、ラベル片３の搬送方向後端に対応する位置で反射光量が低く検出され、それ以外の部分では反射光量が高く検出される状態が所定の長さ、つまりプリンタ用ラベルの搬送方向におけるラベル長とラベルギャップ長とを加えた長さごとに繰り返される。また、商標を示すマーク５は、プリンタ用ラベル１０の搬送方向に直交する方向で位置検出マーク４に近接して設けられているため、反射型センサー検知領域Ｓでの検知に影響を及ぼすことはない。
【００２２】
図２（ｂ）に示すプリンタラベル２０は、前記図２（ａ）に示したプリンタラベル１０と比較して、位置検出マーク４の形状と、商標を示すマーク５の表示形式と、反射型センサー検知領域Ｓと、が異なっている。まず、位置検出マーク１４は、プリンタ用ラベル２０の搬送方向に直交する方向の全幅にわたって黒色で印刷されている。また、商標を示すマーク１５は、そのマークを示す部分のみが印刷されないので、マークを示す部分のみが剥離紙１の基材色、たとえば、白色で表示されることとなる。また、反射型センサー検知領域Ｓは、プリンタ用ラベル２０の幅方向の中央部分に沿って設定されている。このように、反射型センサー検知領域Ｓが、プリンタ用ラベル２０の幅方向の中央部分に沿って設定されていても、前記プリンタの反射型センサーでは、反射型センサー検知領域Ｓの黒色の位置検出マーク１４の部分で光の反射光量が低く検出され、反射型センサー検知領域Ｓの白色の剥離紙１の部分で光の反射光量が高く検出されるので、商標を示すマーク１５が反射型センサー検知領域Ｓでの検知に影響を及ぼすことはない。  
【００２３】
このように、第１の実施の形態のプリンタ用ラベル１０または２０は、ラベル片３が仮着されていない剥離紙１の裏面１ｂに、前記ラベル片３の位置検出マーク４または１４と、商標を示すマーク５または１５と、を表示するようにしたので、他のメーカーから全く同一形状のプリンタ用ラベル１０または２０が供給されることはなく、純正ラベルの使用を促すことができる。
【００２４】
しかし、前述の商標を示すマーク５または１５は、商標であるから他のメーカーは偽造できないものの、商標部分を印刷するまたは印刷しないことによって対応することが考えられる。つまり、図２（ａ）の場合は、商標を示すマーク「ＡＢＣＤ」５部分を印刷する（塗りつぶす）または印刷しない（全く印刷しない）という対応をする。同様に、図２（ｂ）の場合は、商標を示すマーク「ＡＢＣＤ」１５部分を印刷する（塗りつぶす）または印刷しない（反射型センサー検知領域Ｓ部分のみ印刷して、その他の部分は全く印刷しない）という対応をすることが考えられる。
【００２５】
そこで、本発明にかかるプリンタ用ラベルの第２の実施の形態について図３を用いて説明する。図３は、第２の実施の形態のプリンタラベルを剥離紙側から見た平面図である。本発明にかかるプリンタ用ラベルの第２の実施の形態は、ラベル片が仮着されていない剥離紙の他方の面に、ラベル片の位置検出マークに重ねて異なる色で商標を示すマークを表示したものである。
【００２６】
プリンタ用ラベル３０は、ラベル片３が仮着されていない剥離紙１の裏面１ｂに、黒色で印刷されたラベル片３の位置検出マーク２４に重ねて異なる色、たとえば、濃藍色で商標を示すマーク２５「ＡＢＣＤ」が印刷されている。つまり、濃藍色で商標を示すマーク２５「ＡＢＣＤ」が印刷され、この商標を示すマーク２５「ＡＢＣＤ」を除く、位置検出マーク２４部分が黒色で印刷されているものである。
【００２７】
この商標を示すマーク２５の印刷色は濃藍色に限らず、プリンタの反射型センサーの波長域において低い反射率を示す印刷色の中から適宜選択することができる。たとえば、プリンタの反射型センサーが赤色（６６０ｎｍ）の場合は、濃藍色の他に濃緑色などで印刷することができる。また、このように黒色で印刷された位置検出マーク２４に重ねて異なる色で商標を示すマーク２５が印刷されている場合は、前述した第１の実施の形態の黒色で印刷位置検出マーク４が印刷されている場合と比較して、プリンタの反射型センサー  のしきい値を調整して、剥離紙１か、位置検出マーク２４か、を区別する境界となる値が商標を示すマーク２５部分であっても、位置検出マーク２４であると検知するように再設定する必要がある。
【００２８】
このように、第２の実施の形態のプリンタ用ラベル３０は、ラベル片３が仮着されていない剥離紙１の裏面１ｂに、前記ラベル片３の位置検出マーク２４に重ねて異なる色で商標を示すマーク２５を表示するようにしたので、この位置検出マーク２４に重ねて異なる色で表示された商標を示すマーク２５は、他のメーカーが許可無く使用することはできず、他のメーカーから全く同一形状のプリンタ用ラベル３０が供給されることがなく純正ラベルの使用を促すことができる。
【００２９】
次に、本発明にかかるプリンタ用ラベルの第３の実施の形態について図４を用いて説明する。図４は、第３の実施の形態のプリンタラベルを剥離紙側から見た平面図である。本発明にかかるプリンタ用ラベルの第３の実施の形態は、ラベル片が仮着されていない剥離紙の他方の面に、ラベル片の位置検出マークに重ねて異なる色で商標を示すマークが表示され、このラベル片の位置検出マークに重ねて異なる色で表示される商標を示すマークと、次に位置する前記ラベル片の位置検出マークに重ねて異なる色で表示される商標を示すマークと、の表示が異なるものである。
【００３０】
プリンタ用ラベル４０は、ラベル片３が仮着されていない剥離紙１の裏面１ｂに、黒色で印刷されたラベル片３の位置検出マーク３４に重ねて異なる色、たとえば、濃藍色で商標を示すマーク３５「ＡＢＣＤ」が印刷されている。つまり、濃藍色で商標を示すマーク３５「ＡＢＣＤ」が印刷され、この商標を示すマーク３５「ＡＢＣＤ」を除く、位置検出マーク３４部分が黒色で印刷され、次に位置する（次に検知される）黒色で印刷されたラベル片３の位置検出マーク３６に重ねて異なる色、たとえば、濃藍色で商標を示すマーク３７「ＥＦＧＨ」が印刷されている。つまり、濃藍色で商標を示すマーク３７「ＥＦＧＨ」が印刷され、この商標を示すマーク３７「ＥＦＧＨ」を除く、位置検出マーク３６部分が黒色で印刷されているものである。
【００３１】
このように、位置検出マーク３４に重ねて異なる色で表示される商標を示すマーク「ＡＢＣＤ」３５と、次に位置する（次に検知される）位置検出マーク３６に重ねて異なる色で表示される商標を示すマーク「ＥＦＧＨ」３７と、の表示が異なるものであり、たとえば、図示せぬさらに次に位置する位置検出マークに重ねて異なる色で表示される商標を示すマークは、「ＡＢＣＤ」であっても、さらに異なる表示であっても良い。
【００３２】
このように、第３の実施の形態のプリンタ用ラベル４０は、ラベル片３が仮着されていない剥離紙１の裏面１ｂに、前記ラベル３片の位置検出マーク３４に重ねて異なる色で商標を示すマーク３５が表示され、この前記ラベル３片の位置検出マーク３４に重ねて異なる色で表示される商標を示すマーク３５と、次に位置する前記ラベル３片の位置検出マーク３６に重ねて異なる色で表示される商標を示すマーク３７と、の表示が異なるようにしたので、商標を示すマーク３５および３７は、他のメーカーが許可無く使用することはできず、他のメーカーから全く同一形状のプリンタ用ラベル４０が供給されることがなく純正ラベルの使用を促すことができる。
【００３３】
以上のとおり、本発明にかかるプリンタ用ラベルは、剥離紙の一方の面上に、粘着剤が塗布されたラベル片を仮着したプリンタ用ラベルであって、前記ラベル片が仮着されていない剥離紙の他方の面に、前記ラベル片の位置検出マークと、商標を示すマークと、を表示するようにしたので、この商標を示すマークはプリンタメーカーにのみ使用が許可される商標であるから他のメーカーが許可無く使用することはできず、純正ラベルの使用を促すとともに、ラベル印字不良や印字ヘッドへの紙粉付着やプリンタ内での搬送不良などの不具合を起こすことがなく、プリンタの正しい動作を保証することが可能となるプリンタ用ラベルを提供することができる。
【００３４】
なお、本発明が上記実施の形態に限定されず、本発明の技術思想の範囲内において、実施の形態は適宜変更可能である。また、上記構成部材の数、位置、形状等は上記実施の形態に限定されず、本発明を実施する上で好適な数、位置、形状等にすることができる。  
【図面の簡単な説明】
【００３５】
【図１】第１の実施の形態のプリンタ用ラベルをロール状に巻回した説明図である。
【図２】第１の実施の形態のプリンタ用ラベルを剥離紙側から見た平面図である。
【図３】第２の実施の形態のプリンタ用ラベルを剥離紙側から見た平面図である。
【図４】第３の実施の形態のプリンタ用ラベルを剥離紙側から見た平面図である。
【図５】従来のプリンタ用ラベルをロール状に巻回した説明図である。
【符号の説明】
【００３６】
１  剥離紙
１ａ  剥離紙１の一方の面（表面）
１ｂ  剥離紙１の他方の面（裏面）
２  粘着剤
３  ラベル片
３ａ  ラベル片３の一方の面（表面）
３ｂ  ラベル片３の他方の面（裏面）
４、１４、２４、３４、３６  位置検出マーク
５、１５、２５、３５、３７  商標を示すマーク
１０、２０、３０、４０、５０  プリンタ用ラベル
Ｓ  反射型センサー検知領域
【図１】
2005266101.tif 000003
【図２】
2005266101.tif 000004
【図３】
2005266101.tif 000005
【図４】
2005266101.tif 000006
【図５】
2005266101.tif 000007